(57)【特許請求の範囲】
【請求項１】
光ディスクを駆動するディスク駆動ユニットと、
前記ディスク駆動ユニットを収容する本体ケースと、
前記本体ケース内の空気を吸入口から吸入して外部に排出する排気装置と、を備え、
前記ディスク駆動ユニットは、前記光ディスクが挿入される挿入口が形成されているとともに上部に開口部が形成された筐体と、前記開口部を覆う上部カバーと、を有し、
前記本体ケースは、天板部を有するとともに、前記挿入口が外部に露出し且つ前記上部カバーが設定隙間を隔てて前記天板部に対向する状態で前記ディスク駆動ユニットを収容し、
前記排気装置の前記吸入口が、前記上部カバーと前記天板部との間の前記設定隙間により形成される隙間空間に連通するように配置され、
前記上部カバーが、当該上部カバーを上下方向に貫通する貫通孔を有し、
前記排気装置が駆動することにより、前記挿入口から前記筐体内に流入した空気を、前記貫通孔、前記隙間空間、及び前記吸入口の順に経由して、前記本体ケースの外部に排出する光ディスク駆動装置。
【請求項２】
前記ディスク駆動ユニットは、前記光ディスクに記録されたデータを読み取る光ピックアップを前記筐体内に有し、
前記上部カバーに直交する方向から見て、前記貫通孔が前記光ピックアップよりも前記挿入口側に設けられている請求項１に記載の光ディスク駆動装置。
【請求項３】
前記ディスク駆動ユニットは、前記光ディスクの中央部を保持する保持機構を前記筐体内に有し、
前記挿入口に対面する方向から見て、複数の前記貫通孔が、前記保持機構に対して幅方向両側に分かれて設けられている請求項１又は２に記載の光ディスク駆動装置。
【請求項４】
光ディスクを駆動するディスク駆動ユニットと、
前記ディスク駆動ユニットを収容する本体ケースと、
前記本体ケース内の空気を吸入口から吸入して外部に排出する排気装置と、を備え、
前記ディスク駆動ユニットは、前記光ディスクが挿入される挿入口が形成されているとともに上部に開口部が形成された筐体と、前記開口部を覆う上部カバーと、前記筐体内に設けられて前記光ディスクに記録されたデータを読み取る光ピックアップと、を有し、
前記本体ケースは、天板部を有するとともに、前記挿入口が外部に露出し且つ前記上部カバーが設定隙間を隔てて前記天板部に対向する状態で前記ディスク駆動ユニットを収容し、
前記排気装置の前記吸入口が、前記上部カバーと前記天板部との間の前記設定隙間により形成される隙間空間に連通するように配置され、
前記上部カバーが、当該上部カバーを上下方向に貫通する貫通孔を有し、
前記上部カバーに直交する方向から見て、前記貫通孔が前記光ピックアップよりも前記挿入口側に設けられている光ディスク駆動装置。
【請求項５】
光ディスクを駆動するディスク駆動ユニットと、
前記ディスク駆動ユニットを収容する本体ケースと、
前記本体ケース内の空気を吸入口から吸入して外部に排出する排気装置と、を備え、
前記ディスク駆動ユニットは、前記光ディスクが挿入される挿入口が形成されているとともに上部に開口部が形成された筐体と、前記開口部を覆う上部カバーと、前記筐体内に設けられて前記光ディスクの中央部を保持する保持機構と、を有し、
前記本体ケースは、天板部を有するとともに、前記挿入口が外部に露出し且つ前記上部カバーが設定隙間を隔てて前記天板部に対向する状態で前記ディスク駆動ユニットを収容し、
前記排気装置の前記吸入口が、前記上部カバーと前記天板部との間の前記設定隙間により形成される隙間空間に連通するように配置され、
前記上部カバーが、当該上部カバーを上下方向に貫通する貫通孔を有し、
前記挿入口に対面する方向から見て、複数の前記貫通孔が、前記保持機構に対して幅方向両側に分かれて設けられている光ディスク駆動装置。
【請求項６】
前記上部カバーに直交する方向から見て、前記貫通孔の全体が、再生位置における前記光ディスクの中心よりも前記挿入口側に設けられている請求項１から５のいずれか一項に記載の光ディスク駆動装置。
【請求項７】
前記貫通孔が丸穴状又はスリット状に形成されて複数設けられ、
複数の前記貫通孔が規則的配列をなすように配置されている請求項１から６のいずれか一項に記載の光ディスク駆動装置。
【発明の詳細な説明】
【技術分野】
【０００１】
本発明は、光ディスクに記録されたデータを読取可能なディスク駆動ユニットを備える光ディスク駆動装置に関する。
【背景技術】
【０００２】
光ディスクに記録されたデータを読取可能なディスク駆動ユニットを備える光ディスク駆動装置が広く用いられている。このような光ディスク駆動装置の一例が、例えば特開２００５−５６４６２号公報（特許文献１）に開示されている。特許文献１の光ディスク駆動装置では、本体ケースの内部に略密封された空間を遮蔽板によって形成し、その略密封空間にディスク駆動ユニットを配置している。そして、ディスク駆動ユニットで生じる熱を、遮蔽板を通じて本体ケースの内部に伝熱し、本体ケースに設けられた排気装置によって生じる気流中に放熱することで、ディスク駆動ユニットの冷却を行っている。
【０００３】
しかし、特許文献１の光ディスク駆動装置では光ディスクを挿入するための挿入口が外部に露出しているため、例えば光ディスクの回転によって筐体内で気流が生じた場合等に、車室内のたばこの煙等が挿入口を通って筐体内に浸入する可能性がある。その結果、場合によっては、光ディスクに記録されたデータを読み取るための光ピックアップを汚してしまう可能性がある。光ピックアップの汚染は、読み取り不良につながるため好ましくない。
【先行技術文献】
【特許文献】
【０００４】
【特許文献１】特開２００５−５６４６２号公報
【発明の概要】
【発明が解決しようとする課題】
【０００５】
光ディスクを挿入するための挿入口が外部に露出している場合でも、ディスク駆動ユニットの筐体内を清浄に維持させやすい光ディスク駆動装置が望まれる。
【課題を解決するための手段】
【０００６】
本開示に係る光ディスク駆動装置は、
光ディスクを駆動するディスク駆動ユニットと、
前記ディスク駆動ユニットを収容する本体ケースと、
前記本体ケース内の空気を吸入口から吸入して外部に排出する排気装置と、を備え、
前記ディスク駆動ユニットは、前記光ディスクが挿入される挿入口が形成されているとともに上部に開口部が形成された筐体と、前記開口部を覆う上部カバーと、を有し、
前記本体ケースは、天板部を有するとともに、前記挿入口が外部に露出し且つ前記上部カバーが設定隙間を隔てて前記天板部に対向する状態で前記ディスク駆動ユニットを収容し、
前記排気装置の前記吸入口が、前記上部カバーと前記天板部との間の前記設定隙間により形成される隙間空間に連通するように配置され、
前記上部カバーが、当該上部カバーを上下方向に貫通する貫通孔を有する。
【０００７】
この構成によれば、排気装置の駆動によって本体ケースの内部に気流を生じさせて、光ディスク駆動装置に備えられる発熱要素を冷却することができる。排気装置の駆動に伴う気流は筐体の開口部を覆う上部カバーと本体ケースの天板部との間の隙間空間にも生じるので、上記構成の如く、当該隙間空間とディスク駆動ユニットの筐体の内部空間（又は開口部）とを連通させるように上部カバーに貫通孔を形成している。このため、ディスク駆動ユニットの筐体内には、排気装置の駆動中、おおよそ挿入口から貫通孔へと向かう気流が定常的に生じることになる。よって、仮に車室内のたばこの煙等が挿入口を通って筐体内に浸入したとしても、その浸入したたばこの煙等が筐体の開口部及び上部カバーに形成された貫通孔を通って筐体の外に排出されやすくなる。従って、挿入口が外部に露出している場合でも、ディスク駆動ユニットの筐体内を清浄に維持させやすい。
【０００８】
本開示に係る技術のさらなる特徴と利点は、以下の説明によってより明確になるであろう。
【図面の簡単な説明】
【０００９】
【図１】天板部を取り外した状態で光ディスク駆動装置を一方向から見た斜視図
【図２】光ディスク駆動装置を他の一方向から見た斜視図
【図３】天板部を取り外した状態での平面図
【図４】図３のＩＶ−ＩＶ断面図
【図５】光ディスク駆動装置の別態様を示す平面図
【図６】光ディスク駆動装置の別態様を示す平面図
【図７】光ディスク駆動装置の別態様を示す平面図
【発明を実施するための形態】
【００１０】
以下、本発明の実施形態について説明する。但し、以下に記載する実施形態によって、本発明の範囲が限定される訳ではない。
【００１１】
光ディスク駆動装置の実施形態について、図面を参照して説明する。本実施形態に係る光ディスク駆動装置１は、例えばユーザに対して地点や経路に関する案内情報を提供するナビゲーション機器、ユーザに対して音声や映像を提供するオーディオ機器、又はこれらが一体化された複合機器等の電子機器に備えられる。一例として、本実施形態の光ディスク駆動装置１は、車載用のオーディオ一体型ナビゲーション機器の一部として構成されており、例えば車室のコンソールパネルやダッシュボード等である被設置部の内部に収容されて用いられる。
【００１２】
なお、本明細書において、適正な向きで再生位置にセットされた光ディスク５０のディスク面に直交する方向を「上下方向」と定義する。また、その状態における光ディスク５０のレーベル面側を「上側」と定義し、記録面側を「下側」と定義する。よって、光ディスク５０が光ディスク駆動装置１に挿入された状態でレーベル面が鉛直上方を向く水平姿勢以外の姿勢となる場合には、本明細書における上下方向及びその位置と、現実世界における上下方向及びその位置とが異なることを、ここに明記する。
【００１３】
図１及び図２に示すように、光ディスク駆動装置１は、光ディスク駆動ユニット２と、本体ケース３と、排気装置４と、制御基板７と、放熱部材８とを備えている。また、同図において外形のみを仮想線で示すように、光ディスク駆動装置１は、固定ディスク駆動ユニット９をさらに備えている。光ディスク駆動ユニット２、固定ディスク駆動ユニット９、制御基板７、及び放熱部材８は、本体ケース３の内部に収容された状態で、直接又は他の部材を介して本体ケース３に固定されている。
【００１４】
光ディスク駆動ユニット２は、光ディスク５０に記録されたデータを読み取るための装置である。本実施形態では、光ディスク駆動ユニット２が「ディスク駆動ユニット」に相当する。光ディスク５０としては、例えばＣＤ（Compact Disc）、ＤＶＤ（Digital Versatile Disc）、及びＢＤ（Blu-ray Disc）等が例示される。光ディスク５０に記録されたデータは、例えば固定ディスク駆動ユニット９の固定ディスクに記録されている地図データ用の更新データ、音楽データ、及び動画データ等であって良い。これらのデータは、光ディスク５０の記録部５０Ｂに記録されている。
【００１５】
図４に示すように、光ディスク駆動ユニット２は、光ディスク５０を保持する保持機構２１と、光ピックアップ２２と、光ピックアップ２２を駆動するピックアップ駆動部（図示せず）とを備えている。これらは、筐体２３の内部に収容されている。
【００１６】
保持機構２１は、光ディスク５０を載置するターンテーブル２１Ａと、このターンテーブル２１Ａとの間に光ディスク５０を挟み込む固定用チャック２１Ｂとを有する。なお、ターンテーブル２１Ａにはスピンドルモータ（図示せず）が一体的に固定されている。なお、本実施形態では、保持機構２１には、再生位置と取出位置との間で光ディスク５０を往復移動させるためのローディング機構（図示せず）がさらに含まれるものとする。なお、図３においては、保持機構２１の可動範囲を符号「Ａ１」で示している。
【００１７】
光ピックアップ２２は、光ディスク５０に対してレーザ光をレンズを通して照射し、当該光ディスク５０によって反射された光を検出することで、光ディスク５０に記録されたデータを読み取る。光ピックアップ２２の光源としては、例えば半導体レーザを用いることができる。ピックアップ駆動部は、光ピックアップ２２を光ディスク５０の径方向に往復移動させるための駆動機構である。なお、図３においては、光ピックアップ２２の可動範囲を符号「Ａ２」で示している。
【００１８】
図１及び図２に示すように、保持機構２１及び光ピックアップ２２等を収容する筐体２３は、光ディスク５０を収容可能な扁平な略直方体状に形成されている。「略直方体状」とは、直方体形状、又は、多少の歪み又は異形部分等があったとしても概略的には直方体とみなすことができる形状を意味する（本明細書において、「略」を用いて表現する他の形状・状態等に関しても同様である）。筐体２３の前面には、光ディスク５０を挿入するための挿入口（ディスク挿入口）２４が形成されている。この挿入口２４は、外部（本例では車室側）に露出するように設けられており、光ディスク駆動装置１の外部に向かって常時開放された開口となっている。
【００１９】
光ディスク５０が挿入口２４から挿入されると、保持機構２１（ローディング機構）が光ディスク５０を再生位置まで移送する。保持機構２１（ターンテーブル２１Ａ及び固定用チャック２１Ｂ）が光ディスク５０の中央部５０Ａを上下に挟み込んで保持した状態で、ターンテーブル２１Ａと一体化されたスピンドルモータにより、光ディスク５０が回転駆動される。この状態で、ピックアップ駆動部が光ピックアップ２２を光ディスク５０の径方向に送り動作しながら、光ピックアップ２２が光ディスク５０からのデータ読み出し動作を行う。また、例えばユーザによるイジェクトボタンの押下等の取出指示操作があれば、保持機構２１（ローディング機構）が光ディスク５０を取出位置まで移送する。
【００２０】
図４に示すように、筐体２３は、再生位置にある光ディスク５０の上面（レーベル面）を覆う位置に開口部２３ａを有する。この開口部２３ａをさらに覆うように、上部カバー２５が光ディスク駆動ユニット２に設けられている。上部カバー２５は、平面視（上下方向に見た状態）で略矩形状を呈する平板状に形成されている。なお、図示の例のように、上部カバー２５の一部が屈曲形成され、筐体２３の背板（再生位置にある光ディスク５０の背後）をも覆うように構成されても良い。上部カバー２５は、当該上部カバー２５を板厚方向に貫通する貫通孔２６を有する。より具体的には、上部カバー２５は、筐体２３の開口部２３ａを覆う開口部被覆部分２５Ｃに、当該上部カバー２５を上下方向に貫通する貫通孔２６を有する。図３に示すように、本実施形態では、貫通孔２６は平面視で丸穴状（真円状）に形成されている。このような貫通孔２６が、上部カバー２５に複数（本例では計１８個）形成されている。
【００２１】
複数の貫通孔２６は、いずれも、上部カバー２５に直交する方向（本例ではおおよそ上下方向）から見て、光ピックアップ２２（光ピックアップ２２の可動範囲Ａ２の全域）とは重複しないように当該可動範囲Ａ２とは異なる位置に設けられている。さらに本実施形態では、複数の貫通孔２６は、上部カバー２５に直交する方向から見て、光ピックアップ２２よりも挿入口２４側に設けられている。複数の貫通孔２６は、光ピックアップ２２の可動範囲Ａ２の全域に対して、挿入口２４側に設けられている。本実施形態では、複数の貫通孔２６は、再生位置における光ディスク５０の回転中心（図３において符号「Ｘ」で表示）よりもさらに挿入口２４側に設けられている。また、本実施形態では、複数の貫通孔２６はいずれも、破線で示された再生位置にある光ディスク５０と平面視で少なくとも一部が重複するように設けられている。
【００２２】
図１〜図３から理解できるように、複数の貫通孔２６は、挿入口２４に対面する方向から見て、保持機構２１に対して幅方向両側に分かれて設けられている。複数の貫通孔２６は、保持機構２１の可動範囲Ａ１の全域に対して、幅方向両側に分かれて設けられている。本実施形態では、複数（本例では計１８個）の貫通孔２６が二分されて、それぞれ複数（本例では９個）の貫通孔２６からなる二組の貫通孔群２６Ｇが形成されている。各貫通孔群２６Ｇにおいて、複数の貫通孔２６は規則的な配列（本例では、３行３列の格子状配列）をなすように配置されている。そして、これら二組の貫通孔群２６Ｇが、保持機構２１に対して、幅方向両側に分かれて設けられている。
【００２３】
図１及び図２に示すように、光ディスク駆動ユニット２は、本体ケース３の内部空間のうち、上方側の空間に配置されている。例えば光ディスク駆動ユニット２は、本体ケース３の内部空間を上下に３等分した場合に最上段に位置する、上部空間に配置されている。そして、光ディスク駆動ユニット２は、図４に示すように、筐体２３の開口部２３ａを覆う上部カバー２５が、予め定められた設定隙間Ｃを隔てて本体ケース３の天板部３４に対向する状態に配置されている。設定隙間Ｃは、位置によらない一定の大きさであっても良いが、本実施形態では、挿入口２４側（前面側）から奥側（背面側）に向かうに従って僅かずつ拡大するように設定隙間Ｃが形成されている。言い換えれば、光ディスク駆動ユニット２は、上部カバー２５が天板部３４に対して僅かに傾斜する非平行状態で、本体ケース３内に配置されている。
【００２４】
本体ケース３内における光ディスク駆動ユニット２の下方側には、制御基板７と放熱部材８と固定ディスク駆動ユニット９とが配置されている。制御基板７は、本体ケース３の底板部３１に対して一定の隙間を隔てた状態で固定されている。制御基板７には、ナビゲーション機能やオーディオ機能等を実現するための各種の回路部品が実装されている。このような回路部品としては、例えば経路探索や経路案内等のナビゲーション演算用のＣＰＵ（Central Processing Unit）、光ピックアップ２２の光源としての半導体レーザの駆動用のＩＣ（Integrated Circuit）、音声や画像等の信号処理用のＩＣ、及び増幅用のＩＣ等が例示される。
【００２５】
これらのＣＰＵやＩＣチップは動作に応じて発熱するため、伝熱性に優れた材料（例えば銅やアルミニウム等の金属材料）で構成される放熱部材８に熱的に接続されている（図１を参照）。ヒートシンクである放熱部材８は、例えば押出成形やダイキャストによって形成され、図２に示すように互いに平行に配置される多数のフィン８ａを有する。このようなフィン８ａは、放熱部材８の表面積を大きくして放熱効果を高めるために設けられている。本実施形態では、放熱部材８は、そのベース板部の延在面が制御基板７に交差（本例では略直交）する状態で、本体ケース３の側板部３２に対して一定の隙間を隔てて対向するように配置されている。
【００２６】
光ディスク駆動ユニット２と制御基板７との間に、固定ディスク駆動ユニット９が配置されている。固定ディスク駆動ユニット９は、光ディスク５０よりも高容量の固定ディスク（ハードディスクとも言う）を内蔵し、当該固定ディスクに記録されたデータを読み取るための装置である。固定ディスクに記録されたデータは、例えば道路ネットワーク情報や施設情報等を含む地図データや、音楽データ等であって良い。
【００２７】
図１及び図２に示すように、光ディスク駆動装置１の各構成要素を収容する本体ケース３は、光ディスク駆動ユニット２よりも嵩高な（例えば、３倍〜６倍程度の高さを有する）略直方体状に形成されている。本体ケース３は、光ディスク駆動装置１の底面を構成する底板部３１と、光ディスク駆動装置１の両側面を構成する一対の側板部３２と、光ディスク駆動装置１の背面を構成する背板部３３と、光ディスク駆動装置１の天井面を構成する天板部３４とを有する。また、本体ケース３は、底板部３１と一対の側板部３２と天板部３４とで囲まれる前面側の大開口部を覆う前面パネル（図示せず）を有する。この前面パネルには、例えば液晶ディスプレイ等の表示装置とタッチパネル等の入力装置とが一体となった表示入力装置が、外部（ここでは、挿入口２４が露出する側でもある車室側）に露出する状態で埋め込まれていて良い。前面パネルは例えば合成樹脂等で構成され、光ディスク駆動装置１が車載されて規定位置に固定された際に車室側に露出する。
【００２８】
前面パネルは、光ディスク駆動ユニット２の挿入口２４に対応する位置に当該挿入口２４に対応する形状の開口部を有しており、その開口部を通じて挿入口２４も車室側に露出する。また、天板部３４は、図４に示すように、光ディスク駆動ユニット２の筐体２３の開口部２３ａを覆う上部カバー２５に対して設定隙間Ｃを隔てて対向するように配置される。このように、本体ケース３は、挿入口２４が外部に露出し、且つ、上部カバー２５が天板部３４に対向する状態となるように、光ディスク駆動ユニット２を内部に収容する。
【００２９】
本実施形態では、側板部３２及び天板部３４の少なくとも一方には、それらを板厚方向に貫通する吸気孔（図示せず）が形成されている。吸気孔は、本体ケース３の内部と外部（ここでは被設置部の内部空間）とを連通し、本体ケース３の内部への空気の流入口となる。また、本実施形態では、背板部３３に、当該背板部３３を板厚方向に貫通する排気孔３６が形成され、この排気孔３６に重なる状態で、排気装置４が背板部３３に固定されている。排気孔３６は、本体ケース３の内部と外部（ここでは被設置部の内部空間）とを連通し、本体ケース３からの空気の流出口となる。
【００３０】
排気装置４は、本体ケース３内の空気を吸入口４１から吸入して外部（被設置部の内部空間）に排出する。本実施形態の排気装置４は、例えばファンモータ等によって回転駆動され、本体ケース３の内部の空気を外部に排出する排気ファンで構成されている。なお、「本体ケース３の内部の空気」には、当然ながら、上部カバー２５と天板部３４との間の隙間空間Ｓに存在する空気も含まれる。排気装置４の吸入口４１は、上記隙間空間Ｓに連通するように配置されている。排気装置４が駆動（羽根車を有する排気ファンが回転）すると、上記隙間空間Ｓに存在する空気を少なくとも含む本体ケース３の内部の空気が吸引され、当該吸引された空気は排気孔３６を介して外部（被設置部の内部空間）に強制的に排出される。なお、その際、本体ケース３の内外に生じる気圧差に基づき、当該気圧差を解消させるように、外部（被設置部の内部空間）の空気が吸気孔を介して本体ケース３の内部に吸入される。このようにして生じる気流により、放熱部材８の表面での放熱を促進して、ＣＰＵやＩＣチップ等の各種の発熱要素を効率的に空冷している。
【００３１】
ところで、光ディスク駆動ユニット２が光ディスク５０に記録されたデータを読み取る際には、上述したようにターンテーブル２１Ａと共に光ディスク５０が回転する。この光ディスク５０の回転により、光ディスク駆動ユニット２の筐体２３の内部で気流が生じる。この気流は外気を吸引するポンプ的な作用を生じさせるため、光ディスク駆動ユニット２の露出した挿入口２４を通って、外気（本例では車室内の空気）に含まれるたばこの煙や塵埃等が筐体２３内に浸入する可能性がある。特に、車載用の光ディスク駆動装置１は、狭い車室内で比較的高濃度の副流煙に晒されたり、一般住宅の居室等にはほとんど存在しない排気ガスや粉塵等に晒されたりする可能性が高く、家庭用の光ディスク駆動装置に比べて使用環境が悪く、そのような可能性が比較的高いと言える。筐体２３内へのたばこの煙等の浸入は、読み取り不良の原因となり得る光ピックアップ２２（特にレンズ部分）の汚染につながるので好ましくない。
【００３２】
このような懸念に対して、本実施形態では、光ディスク駆動ユニット２の筐体２３の開口部２３ａを覆う上部カバー２５に、当該上部カバー２５を上下方向に貫通する貫通孔２６を形成して対処している。この貫通孔２６は、図４に示すように、筐体２３の内部空間と、筐体２３の開口部２３ａを覆う上部カバー２５と天板部３４との間の隙間空間Ｓとを連通している。このため、排気装置４によって隙間空間Ｓの空気が吸引されると、それに伴って筐体２３内の空気が貫通孔２６を通って隙間空間Ｓに吸引され、さらに外気（本例では車室内の空気）が筐体２３内に吸引される。こうして、光ディスク駆動ユニット２の筐体２３の内部に、排気装置４の駆動中、おおよそ挿入口２４から貫通孔２６へと向かう気流が定常的に生じる。
【００３３】
よって、仮に車室内のたばこの煙等が挿入口２４を通って筐体２３内に浸入したとしても、その浸入したたばこの煙等は上部カバー２５に形成された貫通孔２６を通って筐体２３の外（上部カバー２５と天板部３４との間の隙間空間Ｓ）に排出されやすい。従って、挿入口２４が外部（車室）に露出している場合でも、光ディスク駆動ユニット２の筐体２３内を清浄に維持させやすく、光ピックアップ２２の汚染に起因する読み取り不良等の不具合を効果的に抑制することができる。しかも、ＣＰＵやＩＣチップ等の発熱要素を冷却するための冷却システムを部分的に利用して、上部カバー２５に貫通孔２６を形成するという、汎用の装置に対する軽微な改変のみによって上記の効果を得ることができる。なお、筐体２３の外に排出されたたばこの煙等は、さらに排気装置４によって吸引され、隙間空間Ｓ及び排気孔３６を介して本体ケース３の外に排出される。
【００３４】
貫通孔２６は、上部カバー２５のうち、再生位置にある光ディスク５０の上面（レーベル面）を覆う開口部被覆部分２５Ｃに形成されている。つまり、貫通孔２６は、上下方向において、再生位置にある光ディスク５０に対して、当該光ディスク５０の下面（記録面）に対向するように配置される光ピックアップ２２とは反対側に設けられている。このため、筐体２３の内部には、特に、上下方向において光ディスク５０を挟んで光ピックアップ２２の配置位置とは反対側となる上部空間に、おおよそ挿入口２４から貫通孔２６へと向かう定常的な気流が生じる。よって、挿入口２４から侵入する場合があるたばこの煙等を、筐体２３内に蓄積させることなく、光ディスク５０の上側を流れる気流に乗せて筐体２３の外へ効率良く排出することができる。
【００３５】
また、貫通孔２６は、上部カバー２５に直交する方向（本例ではおおよそ上下方向）から見て、光ピックアップ２２よりも挿入口２４側に設けられている。このため、筐体２３の内部における気流は、主に光ピックアップ２２よりも挿入口２４側に生じる。よって、挿入口２４から侵入する場合があるたばこの煙等を、光ピックアップ２２（特にレンズ部分）に到達するよりも前に、貫通孔２６を通って筐体２３の外に排出することができる。しかも、貫通孔２６は、挿入口２４に対面する方向から見て、保持機構２１に対して幅方向両側に分かれて設けられているので、保持機構２１の存在によって分流される気流に乗ったたばこの煙等を、適切かつ効果的に排出することができる。
【００３６】
〔その他の実施形態〕
光ディスク駆動装置のその他の実施形態について説明する。なお、以下のそれぞれの実施形態で開示される構成は、矛盾が生じない限り、他の実施形態で開示される構成と組み合わせて適用することも可能である。
【００３７】
（１）上記の実施形態では、上部カバー２５に直交する方向から見て、全ての貫通孔２６が光ピックアップ２２（光ピックアップ２２の可動範囲Ａ２）よりも挿入口２４側に設けられている構成を例として説明した。しかし、本発明の実施形態はこれに限定されない。例えば図５に示すように、一部の貫通孔２６が、光ピックアップ２２の可動範囲Ａ２と同じディスク挿入方向の位置に設けられても良い。この場合においても、全ての貫通孔２６は、上部カバー２５に直交する方向から見て、光ピックアップ２２の可動範囲Ａ２とは重複しないように当該可動範囲Ａ２を避けて設けられると好適である。
【００３８】
（２）上記の実施形態では、挿入口２４に対面する方向から見て、貫通孔２６が保持機構２１に対して幅方向両側に分かれて設けられている構成を例として説明した。しかし、本発明の実施形態はこれに限定されない。例えば、挿入口２４に対面する方向から見て、保持機構２１と同じ幅方向の位置に貫通孔２６が設けられても良い。
【００３９】
（３）上記の実施形態では、光ディスク駆動ユニット２の上部カバー２５に、３行３列の格子状配列をなす９個の丸穴状の貫通孔２６からなる二組の貫通孔群２６Ｇが設けられている構成を例として説明した。しかし、本発明の実施形態はこれに限定されない。例えば図６に示すように、互いに平行な列状配列をなす４個の直線スリット状の貫通孔２６からなる二組の貫通孔群２６Ｇが設けられても良い。或いは、例えば図７に示すように、互いに平行な円弧状配列をなす５個の相似する円弧スリット状の貫通孔２６からなる三組の貫通孔群２６Ｇが設けられても良い。貫通孔２６の数・形状・配列等は、これら以外にも、任意に設定されて良い。
【００４０】
（４）上記の実施形態では、表示入力装置が本体ケース３の前面パネルに埋め込まれ、光ディスク駆動ユニット２の挿入口２４が車室側に常時露出している構成を主に想定して説明した。しかし、本発明の実施形態はこれに限定されない。例えば表示入力装置が本体ケース３の前面パネルに対して開閉自在に構成され、表示入力装置の開状態でのみ光ディスク駆動ユニット２の挿入口２４が車室側に露出する構成であっても良い。この場合であっても、少なくとも表示入力装置の開状態ではたばこの煙等が筐体２３内に浸入する可能性がある。また、表示入力装置の閉状態において本体ケース３の前面パネルと表示入力装置とが非密封状態とされる場合には、前面パネルと表示入力装置との微小隙間からたばこの煙等が筐体２３内に浸入する可能性があると言える。そして、それらの場合にも、本開示に係る技術は有効な解決手段を提供する。このような観点から、挿入口２４が断続的に露出するような状態や、外部から見て挿入口２４が非密封状態で隠蔽されるような状態も、本明細書で言う「露出」の概念に含まれる。
【００４１】
（５）上記の実施形態では、光ディスク駆動装置１が光ディスク駆動ユニット２とは別に固定ディスク駆動ユニット９を備えている構成を例として説明した。しかし、本発明の実施形態はこれに限定されない。固定ディスク駆動ユニット９は必ずしも備えられていなくても良い。この場合において、上記の実施形態のように光ディスク駆動装置１が車載用のオーディオ一体型ナビゲーション機器の一部である場合には、例えば光ディスク５０には地図データが記録されていると良い。
【００４２】
（６）上記の実施形態では、光ディスク駆動ユニット２が光ディスク５０に記録されたデータを読み取る機能のみを有していることを主に想定して説明した。しかし、本発明の実施形態はこれに限定されない。例えば光ディスク駆動ユニット２は、データ読取機能に加え、書き込み可能な光ディスク５０に対してデータを記録する（書き込む）機能をさらに備えたものであっても良い。
【００４３】
（７）上記の実施形態では、光ディスク駆動装置１を車載用のオーディオ一体型ナビゲーション機器に組み込んで用いる構成を例として説明した。しかし、本発明の実施形態はこれに限定されない。光ディスク駆動装置１を組み込む対象は、例えば家庭用のオーディオ装置やレコーダー等であっても良いし、例えばデスクトップ型のパーソナルコンピュータ等であっても良い。
【００４４】
（８）その他の構成に関しても、本明細書において開示された実施形態は全ての点で単なる例示に過ぎないと理解されるべきである。従って、当業者は、本開示の趣旨を逸脱しない範囲で、適宜、種々の改変を行うことが可能である。
【００４５】
〔実施形態の概要〕
以上をまとめると、本開示に係る光ディスク駆動装置は、好適には、以下の各構成を備える。
【００４６】
［１］
光ディスク駆動装置（１）であって、
光ディスク（５０）を駆動するディスク駆動ユニット（２）と、
前記ディスク駆動ユニット（２）を収容する本体ケース（３）と、
前記本体ケース（３）内の空気を吸入口（４１）から吸入して外部に排出する排気装置（４）と、を備え、
前記ディスク駆動ユニット（２）は、前記光ディスク（５０）が挿入される挿入口（２４）が形成されているとともに上部に開口部（２３ａ）が形成された筐体（２３）と、前記開口部（２３ａ）を覆う上部カバー（２５）と、を有し、
前記本体ケース（３）は、天板部（３４）を有するとともに、前記挿入口（２４）が外部に露出し且つ前記上部カバー（２５）が設定隙間（Ｃ）を隔てて前記天板部（３４）に対向する状態で前記ディスク駆動ユニット（２）を収容し、
前記排気装置（４）の前記吸入口（４１）が、前記上部カバー（２５）と前記天板部（３４）との間の前記設定隙間（Ｃ）により形成される隙間空間（Ｓ）に連通するように配置され、
前記上部カバー（２５）が、当該上部カバー（２５）を上下方向に貫通する貫通孔（２６）を有する。
【００４７】
この構成によれば、排気装置の駆動によって本体ケースの内部に気流を生じさせて、光ディスク駆動装置に備えられる発熱要素を冷却することができる。排気装置の駆動に伴う気流は筐体の開口部を覆う上部カバーと本体ケースの天板部との間の隙間空間にも生じるので、上記構成の如く、当該隙間空間とディスク駆動ユニットの筐体の内部空間（又は開口部）とを連通させるように上部カバーに貫通孔を形成している。このため、ディスク駆動ユニットの筐体内には、排気装置の駆動中、おおよそ挿入口から貫通孔へと向かう気流が定常的に生じることになる。よって、仮に車室内のたばこの煙等が挿入口を通って筐体内に浸入したとしても、その浸入したたばこの煙等が筐体の開口部及び上部カバーに形成された貫通孔を通って筐体の外に排出されやすくなる。従って、挿入口が外部に露出している場合でも、ディスク駆動ユニットの筐体内を清浄に維持させやすい。
【００４８】
［２］
前記ディスク駆動ユニット（２）は、前記光ディスク（５０）に記録されたデータを読み取る光ピックアップ（２２）を前記筐体（２３）内に有し、
前記上部カバー（２５）に直交する方向から見て、前記貫通孔（２６）が前記光ピックアップ（２２）よりも前記挿入口（２４）側に設けられている。
【００４９】
この構成によれば、ディスク駆動ユニットの筐体の内部における気流は、主に光ピックアップよりも挿入口側に生じる。よって、挿入口から侵入する場合があるたばこの煙等を、光ピックアップに到達するよりも前に、貫通孔を通って筐体の外に排出することができる。よって、より確実にディスク駆動ユニットの筐体内を清浄に維持させることができる。
【００５０】
［３］
前記ディスク駆動ユニット（２）は、前記光ディスク（５０）の中央部を保持する保持機構（２１）を前記筐体（２３）内に有し、
前記挿入口（２４）に対面する方向から見て、複数の前記貫通孔（２６）が、前記保持機構（２１）に対して幅方向両側に分かれて設けられている。
【００５１】
この構成によれば、保持機構の存在によって分流される気流に乗ったたばこの煙等を、適切かつ効果的に排出することができる。よって、より効果的にディスク駆動ユニットの筐体内を清浄に維持させることができる。
【００５２】
本開示に係る光ディスク駆動装置は、上述した各効果のうち、少なくとも１つを奏することができれば良い。
【産業上の利用可能性】
【００５３】
本開示に係る技術は、例えば光ディスクに記録されたデータを読取可能なディスク駆動ユニットを備える光ディスク駆動装置に利用することができる。
【符号の説明】
【００５４】
１        光ディスク駆動装置
２        光ディスク駆動ユニット（ディスク駆動ユニット）
３        本体ケース
４        排気装置
２１      保持機構
２２      光ピックアップ
２３      筐体
２４      挿入口
２５      上部カバー
２６      貫通孔
２６Ｇ    貫通孔群
３４      天板部
４１      吸入口
５０      光ディスク
５０Ａ    中央部
Ｃ        設定隙間
Ｓ        隙間空間
【図１】
0006380086.tif 000002
【図２】
0006380086.tif 000003
【図３】
0006380086.tif 000004
【図４】
0006380086.tif 000005
【図５】
0006380086.tif 000006
【図６】
0006380086.tif 000007
【図７】
0006380086.tif 000008